(57)【特許請求の範囲】
【請求項１】
供給された複数の液体を貯留し、前記複数の液体が流出する口を下端部に有する容器と、
前記複数の液体からなる混合液を測定する測定部と、
前記口に一端が接続され、前記容器内に連通する第１の流路と、
前記口の近傍で前記第１の流路に一端が接続されて前記第１の流路を介して前記容器内に連通し、他端が前記測定部の一端部に接続されて当該測定部内に連通する第２の流路と、
前記測定部の他端部に一端が接続され、前記測定部を介して前記第２の流路に連通する第３の流路と、
前記第１の流路の他端に接続された第１の端子、前記第３の流路の他端に接続された第２の端子、及び第３の端子を有し、前記第１の端子又は前記第２の端子のいずれか一方の端子と前記第３の端子との間を開放しているときに他方の端子と前記第３の端子との間を閉鎖している三方切換弁と、
前記第３の端子に一端が接続された第４の流路と、
前記第４の流路に連通し、前記第１の端子と前記第３の端子との間の開放により前記第１の流路と前記第４の流路との間が開放されているとき、前記容器内に貯留された前記混合液を、前記口から流出させて前記第１の流路の一端から他端の方向へ流動させた後、前記第１の流路の一端の方向へ流動させて前記口から前記容器内に流入させ、前記第２の端子と前記第３の端子との間の開放により前記第３の流路と前記第４の流路との間が開放されているとき、前記容器内に流入した前記混合液を、前記口から流出させて前記第１の流路、この第１の流路と前記第２の流路との接続部及び前記第２の流路を経由して前記測定部内に流入させるポンプとを
備えたことを特徴とする自動分析装置。
【請求項２】
前記ポンプは、前記第１の流路と前記第４の流路との間が開放されているとき、前記容器内に流入した前記混合液の一部を前記口から流出させて、前記第１の流路の一端から他端の方向へ流動させ、前記第１の流路の前記接続部を超える位置で停止させた後、前記第３の流路と前記第４の流路との間が開放されているとき、前記容器内の前記混合液の大部分を前記口から流出させて、前記第１の流路、前記接続部及び前記第２の流路を経由して前記測定部内に流入させることを特徴とする請求項１に記載の自動分析装置。
【請求項３】
前記ポンプは、前記第３の流路と前記第４の流路との間が開放されているとき、前記容器内の前記混合液の大部分を前記口から流出させて、前記第１の流路、前記接続部及び前記第２の流路を経由して前記測定部内に流入させた後、前記第１の流路と前記第４の流路との間が開放されているとき、前記容器内に残留する前記混合液を、前記口から流出させて前記第１の流路の一端から他端の方向に流動させ、前記口と前記接続部の間から離れた位置で停止させることを特徴とする請求項１又は請求項２に記載の自動分析装置。
【請求項４】
前記第２の流路及び前記測定部内は、前記ポンプが前記混合液を前記口から流出させて前記第１の流路の一端から他端の方向へ流動させているとき、及び前記第１の流路の一端の方向へ流動させて前記口から前記容器内に流入させているとき、前記混合液と異なる液体で満たされていることを特徴とする請求項１乃至請求項３のいずれかに記載の自動分析装置。
【請求項５】
前記ポンプは、前記第２の流路及び前記測定部内に前記混合液と異なる液体が満たされ、前記第１の流路と前記第４の流路との間が開放されているとき、前記容器内に貯留された前記混合液を、前記口から流出させて前記第１の流路の一端から他端の方向へ流動させた後、前記第１の流路の一端の方向へ流動させて前記口から前記容器内に流入させ、前記容器内に流入した前記混合液の一部を前記口から流出させて、前記第１の流路の一端から他端の方向へ流動させ、前記第１の流路の前記接続部を超える位置で停止させた後、前記第３の流路と前記第４の流路との間が開放されているとき、前記容器内の前記混合液の大部分を前記口から流出させて、前記第１の流路、前記接続部及び前記第２の流路を経由して前記測定部内に流入させ、前記測定部内に前記混合液を流入させた後、前記第１の流路と前記第４の流路との間が開放されているとき、前記容器内に残留する前記混合液を、前記容器の口から流出させて前記第１の流路の一端から他端の方向に流動させ、前記口と前記接続部の間から離れた位置で停止させることを特徴とする請求項１に記載の自動分析装置。
【請求項６】
前記混合液と異なる液体は、前記測定部により測定された結果を校正するための校正液であり、
前記測定部により測定された前記混合液及び前記校正液の測定結果に基づいて分析データを生成する演算部を有することを特徴とする請求項４又は請求項５に記載の自動分析装置。
【請求項７】
前記ポンプに一端が接続された第５の流路と、
一端が排液タンクに接続された第６の流路と、
前記第４の流路の他端に接続された第１の端子、前記第５の流路の他端に接続された第２の端子及び前記第６の流路の他端に接続された第３の端子を有し、前記第４の流路又は前記第６の流路のいずれか一方の流路と前記第５の流路との間を開放しているときに他方の流路と前記第５の流路との間を閉鎖している三方切換弁とを備え、
前記ポンプは、前記第４の流路と前記第５の流路との間が開放されているとき、前記第５の流路を介して前記第４の流路に連通していることを特徴とする請求項１乃至請求項６のいずれかに記載の自動分析装置。
【請求項８】
前記測定部は、前記第２の流路を経由した前記混合液が流入する貫通孔及びこの貫通孔に流入した前記混合液に含まれる電解質を選択的に検出するイオン選択性電極を有することを特徴とする請求項１乃至請求項７のいずれかに記載の自動分析装置。
【発明の詳細な説明】
【技術分野】
【０００１】
本発明の実施形態は、被検体から採取された被検試料等の液体に含まれる成分を分析する自動分析装置に関する。
【背景技術】
【０００２】
自動分析装置は生化学検査項目や免疫検査項目などを対象とし、試料と試薬との反応によって生ずる色調の変化を測定することにより、各検査項目の濃度や酵素活性で表される分析データを生成する。また、生化学検査項目に含まれるナトリウムイオン、カリウムイオン、塩素イオン等の各電解質を検出するイオン選択性電極を利用して測定することにより、濃度で表される分析データを生成する。
【０００３】
イオン選択性電極を利用した測定では、試料及びこの試料を希釈する希釈液を容器内に供給し、試料及び希釈液の混合液を容器からイオン選択性電極へ導くことにより、各電解質を測定する電解質測定ユニットが知られている。この電解質測定ユニットでは、容器の上方に移動したサンプル分注プローブにより、容器内に試料が供給される。また、容器内に配置された希釈ノズルにより希釈液が供給される。供給された試料及び希釈液からなる混合液は、容器内で撹拌子等により混和された後、容器からイオン選択性電極へ導かれる。
【先行技術文献】
【特許文献】
【０００４】
【特許文献１】特開昭６３−１３２１７０号公報
【発明の概要】
【発明が解決しようとする課題】
【０００５】
しかしながら、分析に用いられる試料の微量化に伴い、混合液量が少なくなり、容器の容量を小さくする必要がある。このため、撹拌子が希釈ノズルやサンプル分注プローブに接触して混合液を撹拌することができない問題がある。
【０００６】
実施形態は、上記問題点を解決するためになされたもので、混合液を容易に混和することができる自動分析装置を提供することを目的とする。
【課題を解決するための手段】
【０００７】
上記目的を達成するために、実施形態の自動分析装置は、供給された複数の液体を貯留し、前記複数の液体が流出する口を下端部に有する容器と、前記複数の液体からなる混合液を測定する測定部と、前記口に一端が接続され、前記容器内に連通する第１の流路と、前記口の近傍で前記第１の流路に一端が接続されて前記第１の流路を介して前記容器内に連通し、他端が前記測定部の一端部に接続されて当該測定部内に連通する第２の流路と、前記測定部の他端部に一端が接続され、前記測定部を介して前記第２の流路に連通する第３の流路と、前記第１の流路の他端に接続された第１の端子、前記第３の流路の他端に接続された第２の端子、及び第３の端子を有し、前記第１の端子又は前記第２の端子のいずれか一方の端子と前記第３の端子との間を開放しているときに他方の端子と前記第３の端子との間を閉鎖している三方切換弁と、前記第３の端子に一端が接続された第４の流路と、前記第４の流路に連通し、前記第１の端子と前記第３の端子との間の開放により前記第１の流路と前記第４の流路との間が開放されているとき、前記容器内に貯留された前記混合液を、前記口から流出させて前記第１の流路の一端から他端の方向へ流動させた後、前記第１の流路の一端の方向へ流動させて前記口から前記容器内に流入させ、前記第２の端子と前記第３の端子との間の開放により前記第３の流路と前記第４の流路との間が開放されているとき、前記容器内に流入した前記混合液を、前記口から流出させて前記第１の流路、この第１の流路と前記第２の流路との接続部及び前記第２の流路を経由して前記測定部内に流入させるポンプとを備えたことを特徴とする。
【図面の簡単な説明】
【０００８】
【図１】実施形態に係る自動分析装置の構成を示す図。
【図２】実施形態に係る分析部の構成を示す斜視図。
【図３】実施形態に係る電解質測定ユニットの構成の一例を示すブロック図。
【図４】実施形態に係る容器、希釈液供給部及び校正液供給部の構成を示す図。
【図５】実施形態に係るチューブ及び三方切換弁の構成の一例を示す図。
【図６】実施形態に係る容器内に供給された校正液の流通経路を示す図。
【図７】実施形態に係る容器内に供給された校正液の流通経路を示す図。
【図８】実施形態に係る容器内に供給された希釈液及び試料からなる混合液の流通経路を示す図。
【図９】実施形態に係る容器内に供給された希釈液及び試料からなる混合液の流通経路を示す図。
【図１０】実施形態に係る容器内に供給された希釈液及び試料からなる混合液の流通経路を示す図。
【発明を実施するための形態】
【０００９】
以下、図面を参照して実施形態を説明する。
【００１０】
図１は、実施形態に係る自動分析装置の構成を示したブロック図である。この自動分析装置１００は、標準試料や被検試料を測定する分析部２４と、分析部２４で標準試料や被検試料の測定により生成される標準データや被検データに基づいて各検査項目の検量データや分析データの生成を行うデータ処理部３０と、データ処理部３０で生成された検量データや分析データ等を出力する出力部５０と、各検査項目の分析パラメータの入力や、各種コマンド信号を入力する操作部５３と、分析部２４、データ処理部３０、及び出力部５０を統括して制御するシステム制御部５４とを備えている。
【００１１】
図２は、分析部２４の構成を示した斜視図である。この分析部２４は、標準試料や被検試料等の各試料を収容する試料容器１７と、この試料容器１７を保持するサンプルディスク５と、円周上に配置された複数の反応容器３を回転可能に保持する反応ディスク４と、サンプルディスク５に保持された試料容器１７内の各試料を吸引して反応容器３内へ吐出する分注を行うサンプル分注プローブ１６と、サンプル分注プローブ１６を回動及び上下移動可能に支持するサンプル分注アーム１０とを備えている。
【００１２】
また、各試料に含まれる検査項目の成分と反応する１試薬系及び２試薬系の第１試薬を収容する試薬容器６と、この試薬容器６を格納する試薬庫１と、この試薬庫１に格納された試薬容器６を回動可能に保持する試薬ラック１ａと、試薬ラック１ａに保持された試薬容器６内の第１試薬を吸引して試料が吐出された反応容器３内に吐出する分注を行う第１試薬分注プローブ１４とを備えている。また、第１試薬分注プローブ１４を回動及び上下移動可能に支持する第１試薬分注アーム８を備えている。
【００１３】
また、２試薬系の第１試薬と対をなす第２試薬を収容する試薬容器７と、この試薬容器７を格納する試薬庫２と、この試薬庫２に格納された試薬容器７を回動可能に保持する試薬ラック２ａと、試薬ラック２ａに保持された試薬容器７内の第２試薬を吸引して第１試薬が吐出された反応容器３内に吐出する分注を行う第２試薬分注プローブ１５と、第２試薬分注プローブ１５を回動及び上下移動可能に支持する第２試薬分注アーム９とを備えている。
【００１４】
また、各試料を測定するために反応容器３内の各試料と第１試薬との混合液や各試料と第１及び第２試薬との混合液に含まれる各検査項目の成分を測定する測光ユニット１３と、サンプル分注プローブ１６により吐出される各試料に含まれる電解質項目の成分である例えばナトリウムイオン、カリウムイオン、及び塩素イオン等の各電解質を測定する電解質測定ユニット２２と、測光ユニット１３により測定された混合液を収容する反応容器３内を洗浄する反応容器洗浄ユニット１２とを備えている。
【００１５】
そして、測光ユニット１３は、回転移動する反応容器３に光を照射して、標準試料や被検試料を含む混合液を透過した光を検出する。そして、検出した光に基づいて標準データや被検データを生成し、生成した標準データや被検データをデータ処理部３０へ出力する。また、電解質測定ユニット２２は、標準試料や被検試料を測定して標準データや被検データを生成し、生成した標準データや被検データをデータ処理部３０へ出力する。
【００１６】
図１に示したデータ処理部３０は、分析部２４の測光ユニット１３や電解質測定ユニット２２から出力された標準データや被検データに基づいて検量データや分析データの生成を行う演算部３１と、演算部３１で生成された検量データや分析データを保存するデータ記憶部３２とを備えている。
【００１７】
演算部３１は、分析部２４で生成された各検査項目の標準データに基づいて検量データを生成する。また、分析部２４で生成された各検査項目の被検データを予め生成した検量データに基づいて、活性値や濃度値などで表される分析データを生成する。そして、生成した検量データや分析データをデータ記憶部３２に保存すると共に出力部５０に出力する。
【００１８】
出力部５０は、データ処理部３０から出力された検量データや分析データなどを印刷出力する印刷部５１及び表示出力する表示部５２を備えている。そして、印刷部５１は、プリンタなどを備え、データ処理部３０から出力された検量データや分析データなどを予め設定されたフォーマットに従って、プリンタ用紙に印刷出力する。また、表示部５２は、ＣＲＴや液晶パネルなどのモニタを備え、各検査項目の分析パラメータを設定するための分析パラメータ設定画面の表示や、データ処理部３０から出力された検量データや分析データなどの表示を行う。
【００１９】
操作部５３は、キーボード、マウス、ボタン、タッチキーパネルなどの入力デバイスを備え、各検査項目の分析パラメータの設定、被検体の被検体ＩＤや被検体名などの被検体情報の入力、被検試料毎に分析する検査項目の選択等の様々な入力を行う。
【００２０】
システム制御部５４は、ＣＰＵと記憶回路を備え、操作部５３から入力されるコマンド信号、各検査項目の分析パラメータ、被検体情報、被検試料毎に選択された検査項目などの入力情報を保存する。そして、入力情報に基づいて、分析部２４の各ユニットを一定サイクルの所定のシーケンスで測定動作させる制御、検量線の作成や分析データの生成と出力に関する制御などシステム全体の制御を行なう。
【００２１】
次に、分析部２４における電解質測定ユニット２２の構成について説明する。  
図３は、電解質測定ユニット２２の構成の一例を示したブロック図である。この電解質測定ユニット２２は、サンプル分注プローブ１６により供給される標準試料及び被検試料の各試料等を貯留する容器６１と、各試料を希釈する希釈液を容器６１内へ供給する希釈液供給部６２と、各試料と希釈液の混合液の測定結果を校正するための校正液を容器６１内へ供給する校正液供給部６３とを備えている。
【００２２】
また、電解質測定ユニット２２は、混合液及び校正液の各液体を容器６１から流出させる例えばシリンダ及びプランジャにより構成されるポンプ６４と、容器６１から流出した各液体を測定する測定部６０と、測定により不要になった各液体が排出される排液タンク６５と、容器６１内の各液体が排液タンク６５に排出されるまでの間に流通する流路が形成されたチューブ６６と、チューブ６６に接続された例えば三方電磁弁等の三方切換弁６７，６８とを備えている。
【００２３】
図４は、容器６１、希釈液供給部６２及び校正液供給部６３の構成を示した図である。この容器６１は、上端部に各試料、希釈液、及び校正液が供給される開口６１１を有し、下端部中央に供給された各液体が流出する開口６１２を有する。そして、サンプル分注プローブ１６により供給される各試料と、希釈液供給部６２により供給される希釈液との混合液を貯留する。また、校正液供給部６３により供給される校正液を貯留する。
【００２４】
希釈液供給部６２は、希釈液を吐出する容器６１内に配置されたノズル６２１と、ノズル６２１に一端部が接続されたチューブ６２２と、チューブ６２２の他端部に第１端子が接続された三方切換弁６２３と、三方切換弁６２３の第２端子に一端部が接続されたチューブ６２４とを備えている。また、チューブ６２４の他端部が配置された希釈液を収容する希釈液容器６２５と、三方切換弁６２３の第３端子に一端部が接続されたチューブ６２６と、チューブ６２６の他端部に接続されたポンプ６２７とを備えている。
【００２５】
そして、三方弁切換弁６２３が第２端子と第３端子の間を開放すると共に第１端子を閉鎖しているとき、ポンプ６２７の吸引動作により、希釈液容器６２５内の希釈液を吸引する。次いで、三方弁切換弁６２３が第１端子と第３端子の間を開放すると共に第２端子を閉鎖しているとき、ポンプ６２７の吐出動作により、容器６１内へ希釈液を供給する。このとき、サンプル分注プローブ１６により各試料が容器６１内へ供給される。
【００２６】
校正液供給部６３は、校正液を吐出する容器６１内に配置されたノズル６３１と、ノズル６３１に一端部が接続されたチューブ６３２と、チューブ６３２の他端部に第１端子が接続された三方切換弁６３３と、三方切換弁６３３の第２端子に一端部が接続されたチューブ６３４とを備えている。また、チューブ６３４の他端部が配置された校正液を収容する校正液容器６３５と、三方切換弁６３３の第３端子に一端部が接続されたチューブ６３６とを備えている。また、チューブ６３６の他端部に接続されたシリンダ及びプランジャにより構成されるポンプ６３７とを備えている。
【００２７】
そして、三方弁切換弁６３３が第２端子と第３端子を開放すると共に第１端子を閉鎖しているとき、ポンプ６３７の吸引動作により、校正液容器６３５内の校正液を吸引する。次いで、三方切換弁６３３が第１端子と第３端子の間を開放すると共に第２端子を閉鎖しているとき、ポンプ６３７の吐出動作により、容器６１内へ校正液を供給する。
【００２８】
図３に示した測定部６０は、各液体に含まれる複数の電解質を検出するイオンセンサユニット６０１と、このイオンセンサユニット６０１に検出された各電解質の検出信号に基づいて標準データや被検データを生成する信号処理部６０２とを備えている。
【００２９】
イオンセンサユニット６０１は容器６１とポンプ６４の間に配置され、容器６１からチューブ６６により導かれる各液体が流入する貫通孔を有する。そして、貫通孔に流入した各液体に含まれる各電解質を選択的に検出して濃度に応じた電位を示す各イオン選択性電極及び各イオン選択性電極に対して基準となる電位を示す参照電極を備えている。そして、各イオン選択性電極と参照電極間の電位差としての検出信号を信号処理部６０２へ出力する。
【００３０】
図５は、チューブ６６及び三方切換弁６７，６８の構成の一例を示した図である。このチューブ６６は、第１乃至第６のチューブ６６１乃至６６６により構成される。そして、第１のチューブ６６１は、一端部が容器６１の開口６１２に接続され、他端部が三方切換弁６７の第１端子に接続されている。第１のチューブ６６１内には、容器６１内に連通する第１の流路６６１ａが形成されている。
【００３１】
第２のチューブ６６２は、一端部が第１のチューブ６６１に接合され、他端部が測定部６０におけるイオンセンサユニット６０１の一端部に接続されている。そして、第２のチューブ６６２内には、容器６１の近傍で第１の流路６６１ａに連通し、容器６１内の校正液や混合液の各液体をイオンセンサユニット６０１に導く第２の流路６６２ａが形成されている。
【００３２】
第３のチューブ６６３は、一端部がイオンセンサユニット６０１の他端部に接続され、他端部が三方切換弁６７の第２端子に接続されている。そして、第３のチューブ６６３には、イオンセンサユニット６０１で測定された各液体が流通する第３の流路６６３ａが形成されている。
【００３３】
第４のチューブ６６４は、一端部が三方切換弁６７の第３端子に接続され、他端部が三方切換弁６８の第１端子に接続されている。そして、第４のチューブ６６４内には、第１のチューブ６６１の第１の流路６６１ａや第３のチューブ６６３の第３の流路６６３ａから流出した各液体が流入する第４の流路６６４ａが形成されている。
【００３４】
第５のチューブ６６５は、一端部が三方切換弁６８の第２端子に接続され、他端部がポンプ６４に接続されている。そして、第５のチューブ６６５内には、第４のチューブ６６４の第４の流路６６４ａから流出した各液体が流入する第５の流路６６５ａが形成されている。
【００３５】
第６のチューブ６６６は、一端部が三方切換弁６８の第３端子に接続され、他端部が排液タンク６５内に配置されている。そして、第６のチューブ６６６内には、第５のチューブ６６５の第５の流路６６５ａから流出した各液体を排液タンク６５に導く第６の流路６６６ａが形成されている。
【００３６】
三方切換弁６７は、第１の流路６６１ａと第４の流路６６４ａ、又は第３の流路６６３ａと第４の流路６６４ａのいずれかを連通可能に切り換える。そして、第１の流路６６１ａと第４の流路６６４ａが連通されると、ポンプ６４のプランジャを矢印Ｌ１方向へ移動する吸引動作により、混合液が容器６１から流出して第１の流路６６１ａを流動する。また、ポンプ６４のプランジャをＬ１方向とは反対方向の矢印Ｌ２方向へ移動する吐出動作により、第１の流路６６１ａを流動した混合液が容器６１内へ流入する。更に、第３の流路６６３ａと第４の流路６６４ａが連通されると、ポンプ６４の吸引動作により、各液体が容器６１から流出し、第１の流路６６１ａの一端部及び第２の流路６６２ａを経由してイオンセンサユニット６０１内へ流入する。
【００３７】
三方切換弁６８は、第４の流路６６４ａと第５の流路６６５ａ、又は第５の流路６６５ａと第６の流路６６６ａのいずれかを連通可能に切り換える。そして、第４の流路６６４ａと第５の流路６６５ａが連通されると、ポンプ６４の吸引動作により容器６１から各液体が流出され、流出した混合液がポンプ６４の吐出動作により容器６１内へ流入される。また、第５の流路６６５ａと第６の流路６６６ａが連通されると、ポンプ６４の吐出動作により、ポンプ６４のシリンダ内や第５及び第６の流路６６５ａ，６６６ａの各液体が排液タンク６５内に排出される。
【００３８】
以下、図１乃至図１０を参照して、電解質測定ユニット２２の動作の一例を説明する。そして、図６及び図７は、容器６１内に供給された校正液の流通経路を示す図である。また、図８乃至図１０は、容器６１内に供給された希釈液及び各試料からなる混合液の流通経路を示す図である。
【００３９】
三方切換弁６７の第１及び第３端子の開放並びに第２端子の閉鎖により、第１の流路６６１ａと第４の流路６６４ａ間が開放され、第３の流路６６３ａと第４の流路６６４ａ間が閉鎖されている。また、三方切換弁６８の第１及び第２端子の開放並びに第３端子の閉鎖により、第４の流路６６４ａと第５の流路６６５ａ間が開放され、第５の流路６６５ａと第６の流路６６６ａ間が閉鎖されている。そして、第１の流路６６１ａの容器６１の開口６１２と第２の流路６６２ａの一端間である一端部は空気で満たされ、第２及び第３の流路６６２ａ，６６３ａ並びにイオンセンサユニット６０１内が例えば校正液で満たされている。
【００４０】
容器６１は、図６（ａ）に示すように、校正液供給部６３により供給された校正液を貯留する。そして、図６（ｂ）に示すように、ポンプ６４のプランジャをＬ１方向へ移動する吸引動作により、校正液の一部が容器６１から流出して第１の流路６６１ａの一端部を少し越えた位置で停止する。
【００４１】
このように、容器６１内に連通する第１の流路６６１ａと、第１の流路６６１ａに連通し、容器６１内の各液体をイオンセンサユニット６０１へ導く第２の流路６６２ａとを設け、容器６１内の校正液を第１の流路６６１ａの一端部を含む位置まで流出させることにより、容器６１と第２流路６６２ａの間を校正液で満たすことができる。また、第２の流路６６２ａを容器６１の近傍で第１の流路６６１ａに連通させることにより、容器６１と第２流路６６２ａの間を少量の校正液で満たすことができる。
【００４２】
校正液の一部が第１の流路６６１ａで停止した後、三方切換弁６７の第２及び第３端子の開放並びに第１端子の閉鎖により、第３の流路６６３ａと第４の流路６６４ａ間が開放され、第１の流路６６１ａと第４の流路６６４ａ間が閉鎖される。そして、ポンプ６４のプランジャを図６（ｂ）の位置から更にＬ１方向へ移動する吸引動作が行われると、図７（ａ）に示すように、容器６１から校正液の大部分が流出し、第１の流路６６１ａの一端部、第２の流路６６２ａ、及びイオンセンサユニット６０１内を流動して第３の流路６６３ａの途中で停止する。
【００４３】
このように、容器６１と第２の流路６６２ａ間を校正液で満たした後に容器６１内の校正液をイオンセンサユニット６０１内に流入させることにより、空気を含まない校正液でイオンセンサユニット６０１内を満たすことができる。これにより、イオンセンサユニット６０１内への空気の混入による検出異常を防ぐことができる。
【００４４】
校正液が第３の流路６６３ａで停止した後、三方切換弁６７の第１及び第３端子の開放並びに第２端子の閉鎖により、第１の流路６６１ａと第４の流路６６４ａ間が開放され、第３の流路６６３ａと第４の流路６６４ａ間が閉鎖される。そして、ポンプ６４のプランジャを図７（ａ）の位置から更にＬ１方向へ移動する吸引動作が行われると、図７（ｂ）に示すように、容器６１内の底部及び第１の流路６６１ａの一端部に残留する校正液が流動して、第１の流路６６１ａの一端部から離れた位置で停止する。これにより、容器６１内及び第１の流路６６１ａの一端部は空になる。
【００４５】
このように、容器６１内の校正液をイオンセンサユニット６０１に流入させるとき、第１の流路６６１ａの一端部に校正液を残留させ、容器６１内及び第１の流路６６１ａの一端部に残留する校正液を第１の流路６６１ａの一端部から離れた位置まで流動させることにより、容器６１内及び第１の流路６６１ａの一端部を空気で満たすことができる。これにより、次に供給される液体の容器６１内や第１の流路６６１ａに残留する液体による汚染を低減することができる。
【００４６】
第１の流路６６１ａの一端部から離れた位置で校正液が停止した後、信号処理部６０２は、イオンセンサユニット６０１で検出される検出信号に基づいて校正データを生成し、生成した校正データをデータ処理部３０の演算部３１に出力する。
【００４７】
イオンセンサユニット６０１で検出された後、三方切換弁６８の第２及び第３端子の開放並びに第１端子の閉鎖により、第５の流路６６５ａと第６の流路６６６ａ間が開放され、第４の流路６６４ａと第５の流路６６５ａ間が閉鎖される。そして、ポンプ６４のプランジャを図７（ｂ）の位置から図６（ａ）の位置までＬ２方向へ移動する吐出動作により、ポンプ６４のシリンダ内、並びに第５及び第６の流路６６５ａ，６６６ａの各液体は、排液タンク６５に排出される。
【００４８】
排液タンク６５内に排出された後、三方切換弁６８の第１及び第２端子の開放並びに第３端子の閉鎖により、第４の流路６６４ａと第５の流路６６５ａ間が開放され、第５の流路６６５ａと第６の流路６６６ａ間が閉鎖される。そして、容器６１は、図８（ａ）に示すように、希釈液供給部６２から供給される希釈液及びサンプル分注プローブ１６から供給される被検試料からなる混合液を貯留する。
【００４９】
容器６１内に希釈液及び被検試料が供給された後、ポンプ６４のプランジャを図８（ａ）の位置からＬ１方向へ移動する吸引動作が行われると、図８（ｂ）に示すように、容器６１から混合液の大部分が流出し、第１の流路６６１ａを流動して途中で停止する。
【００５０】
混合液が第１の流路６６１ａで停止した後、ポンプ６４のプランジャを図８（ｂ）の位置から図８（ａ）の位置までＬ２方向へ移動する吐出動作が行われると、図９（ａ）に示すように、容器６１から流出した混合液が第１の流路６６１ａを流動して容器６１内へ流入する。
【００５１】
このように、イオンセンサユニット６０１へ各液体を導く第２の流路６６２ａとは別に第１の流路６６１ａを設けることにより、混合液を容器６１から流出させ、第１の流路６６１ａを流動させた後に、容器６１内へ流入させることにより、その混合液を混和することができる。これにより、容器６１の容量を大型化することなく簡単な構成で容易に混合液を混和することができる。
【００５２】
混合液が容器６１内へ流入した後、ポンプ６４のプランジャをＬ１方向へ移動する吸引動作により、図９（ｂ）に示すように、容器６１から混合液の一部が流出して、第１の流路６６１ａの一端部を超えた位置で停止する。
【００５３】
このように、容器６１内の混合液を第１の流路６６１ａの一端部を含む位置まで流出させることにより、第２の流路６６２ａに校正液を満たした状態で容器６１と第２流路６６２ａの間を混合液で満たすことができる。また、第２の流路６６２ａを容器６１の近傍で第１の流路６６１ａに連通させることにより、容器６１と第２流路６６２ａの間を少量の混合液で満たすことができる。
【００５４】
混合液の一部が第１の流路６６１ａで停止した後、三方切換弁６７の第２及び第３端子の開放並びに第１端子の閉鎖により、第３の流路６６３ａと第４の流路６６４ａ間が開放され、第１の流路６６１ａと第４の流路６６４ａ間が閉鎖される。そして、ポンプ６４のプランジャを図９（ｂ）の位置から更にＬ１方向へ移動する吸引動作が行われると、図１０（ａ）に示すように、容器６１から混合液の大部分が流出し、第１の流路６６１ａの一端部、第２の流路６６２ａ、及びイオンセンサユニット６０１内を流動して第３の流路６６３ａの途中で停止する。
【００５５】
このように、容器６１と第２の流路６６２ａ間を混合液で満たした後に容器６１内の混合液をイオンセンサユニット６０１内に流入させることにより、空気を含まない混合液でイオンセンサユニット６０１内を満たすことができる。これにより、イオンセンサユニット６０１内への空気の混入による検出異常を防ぐことができる。
【００５６】
混合液が第３の流路６６３ａで停止した後、三方切換弁６７の第１及び第３端子の開放並びに第２端子の閉鎖により、第１の流路６６１ａと第４の流路６６４ａ間が開放され、第３の流路６６３ａと第４の流路６６４ａ間が閉鎖される。そして、ポンプ６４のプランジャを図１０（ａ）の位置から更にＬ１方向へ移動する吸引動作が行われると、図１０（ｂ）に示すように、容器６１内の底部及び第１の流路６６１ａの一端部に残留する混合液が流動して、第１の流路６６１ａの一端部から離れた位置で停止する。これにより、容器６１内及び第１の流路６６１ａの一端部は空になる。
【００５７】
このように、容器６１内の混合液をイオンセンサユニット６０１に流入させるとき、第１の流路６６１ａの一端部に混合液を残留させ、容器６１内及び第１の流路６６１ａの一端部に残留する混合液を第１の流路６６１ａの一端部から離れた位置まで流動させることにより、第２の流路６６２ａを液体で満たすと共に容器６１内及び第１の流路６６１ａの一端部を空気で満たすことができる。これにより、次に供給される液体の容器６１内や第１の流路６６１ａに残留する液体による汚染を低減することができる。
【００５８】
第１の流路６６１ａで混合液が停止した後、信号処理部６０２は、イオンセンサユニット６０１で検出される検出信号に基づいて被検データを生成し、生成した被検データを演算部３１に出力する。
【００５９】
イオンセンサユニット６０１で検出された後、三方切換弁６８の第２及び第３端子の開放並びに第１端子の閉鎖により、第５の流路６６５ａと第６の流路６６６ａ間が開放され、第４の流路６６４ａと第５の流路６６５ａ間が閉鎖される。そして、ポンプ６４のプランジャを図１０（ｂ）の位置から図９（ａ）の位置までＬ２方向へ移動する吐出動作により、ポンプ６４のシリンダ内、並びに第５及び第６の流路６６５ａ，６６６ａの各液体は、排液タンク６５に排出される。
【００６０】
演算部３１では、データ記憶部３２から各電解質項目の検量データを読み出し、読み出した検量データ、並びに信号処理部６０２から出力された校正データ及び被検データに基づいて分析データを生成する。そして、生成した分析データを出力部５０に印刷出力及び表示出力する。
【００６１】
なお、第７のチューブ及びポンプ６４と同様に構成される第２のポンプを設け、第３のチューブ６６３の他端部を三方切換弁６８の第１端子に接続する。また、第４のチューブ６６４の他端部を第２のポンプに接続する。三方切換弁６７の第２端子に第７のチューブの一端部を接続し、第７のチューブの他端部を排液タンク６５に配置する。そして、第２のポンプで混合液を容器６１から流出させ、第１の流路６６１ａを流動させた後に容器６１内に流入させるように実施してもよい。
【００６２】
以上述べた実施形態によれば、容器６１内に連通する第１の流路６６１ａと、第１の流路６６１ａに連通し、容器６１内の各液体をイオンセンサユニット６０１へ導く第２の流路６６２ａとを設ける。
【００６３】
そして、容器６１内の各液体をイオンセンサユニット６０１に流入させるとき、第１の流路６６１ａの一端部に各液体を残留させ、容器６１内及び第１の流路６６１ａの一端部に残留する各液体を第１の流路６６１ａの一端部から離れた位置まで流動させることにより、容器６１内及び第１の流路６６１ａの一端部を空気で満たすことができる。これにより、次に供給される液体の容器６１内や第１の流路６６１ａに残留する液体による汚染を低減することができる。
【００６４】
次いで、容器６１内の各液体を第１の流路６６１ａの一端部を含む位置まで流出させることにより、第２流路６６２ａを以前に流入した液体で満たした状態で容器６１と第２流路６６２ａの間を各液体で満たすことができる。そして、後に容器６１内の各液体をイオンセンサユニット６０１内に流入させることにより、空気を含まない各液体でイオンセンサユニット６０１内を満たすことができる。これにより、イオンセンサユニット６０１内への空気の混入による検出異常を防ぐことができる。
【００６５】
また、供給された希釈液と試料の混合液を容器６１から流出させ、第１の流路６６１ａを流動させた後に、容器６１内へ流入させることにより、混合液を混和することができる。これにより、容器６１の容量を大型化することなく簡単な構成で容易に混合液を混和することができる。
【００６６】
本発明のいくつかの実施形態を説明したが、これらの実施形態は、例として提示したものであり、発明の範囲を限定することを意図していない。これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００６７】
２２  電解質測定ユニット
６０  測定部
６１  容器
６２  希釈液供給部
６３  校正液供給部
６４  ポンプ
６５  排液タンク
６６  チューブ
６７，６８  三方切換弁
６０１  イオンセンサユニット
６０２  信号処理部
６６１  第１のチューブ
６６１ａ  第１の流路
６６２  第２のチューブ
６６２ａ  第２の流路
６６３  第３のチューブ
６６３ａ  第３の流路
６６４  第４のチューブ
６６４ａ  第４の流路
６６５  第５のチューブ
６６５ａ  第５の流路
６６６  第６のチューブ
６６６ａ  第６の流路
【図１】
0005806514.tif 000002
【図２】
0005806514.tif 000003
【図３】
0005806514.tif 000004
【図４】
0005806514.tif 000005
【図５】
0005806514.tif 000006
【図６】
0005806514.tif 000007
【図７】
0005806514.tif 000008
【図８】
0005806514.tif 000009
【図９】
0005806514.tif 000010
【図１０】
0005806514.tif 000011